(57)【要約】【課題】  筒の外側に巻いたコイルと、内側を上下に可動する磁石とによって発電する装置において、上下に可動する磁石のスピードを早めることと、コイルの内側を通過する回数を増やすことで発電量を高める。磁石のスピードを早くすれば早くするほど筒の上部下部に受ける衝撃は大きくなり、装置そのものを壊してしまう。  この二つの問題点を如何に克服するかが課題である。【解決手段】  上下に可動する磁石の上面下面の磁極に対し、同一磁極面を相対し、互いにしりぞけ合い、反発するように磁極を設定した磁石を筒の上部、及び下部に固定することで、磁石の上下運動へのスピードを早くし、コイル内側通過回数を増やし、発電量を高め、又、磁石が筒の上部下部に直接ぶつかることのない構造体を成すことで装置そのものに衝撃を与えることなく耐久力のすぐれた商品となる。【選択図】図３
2009055771.tif 000002
【特許請求の範囲】
【請求項１】
非磁性非電導性材質でできた筒の外側に巻いたコイルと、筒の内側を上下に可動する磁石とによって発電・充電する装置において、上下に可動する磁石の上面・下面の磁極に対し同一磁極面を相対し互いにしりぞけあい反発するように磁極を設定した磁石を筒の上部及び下部に固定していることを特徴とする。
【発明の詳細な説明】
【技術分野】
【０００１】  本発明は、筒の外側に巻いたコイルと、その内側を上下に可動する磁石とによって発電、充電する装置に関し、可動する磁石のスピードを早くする事、又磁石のコイル通過回数を多くすることで発電量は大きく高まるが、しかし、それに反し磁石のスピードが早くなれば早くなるほど上下に可動する磁石の重力は大きくなり、上下にぶつかる衝撃で装置そのものを壊してしまう。本発明はこの二つの問題点を解決することでより大きな電気量を発生できるようにしたものである。
【背景技術】
【０００２】  非磁性非電導性材質でできた筒の外側に巻いたコイルと、筒の内側を上下に可動する磁石とによって発電するしくみ。このような原理は誰もが知っている事で、装置も簡単に作れるが、発電効率が悪いせいなのか産業上あまり発達してこなかった。
しかし、それでも現在「ライト」として市販されているものもある。
【発明の開示】
【発明が解決しようとする課題】
【０００３】  参考商品とすべき商品種類があまりないので、現在「ライト」として市販されている商品を参考例として取り上げ発明が解決しようとする課題を説明しようと思います。【０００４】  図１が現在「ライト」として市販されている商品の図面です。
この製品の上下に可動する磁石（１）の衝撃吸収法として筒の上部、下部に金属製バネ（３）（６）、ゴムクッション（４）（５）で構成されたものを固定しているが、このような構造体で発電する動作図２の行為を行うと、上下に可動する磁石（１）に加わる重力が大きすぎるためにその衝撃はほとんど吸収されないで、上下に振る度ごとにゴツンゴツンと筒の上部、下部にぶつかり、中に収納されている電子部品や基盤等、本体そのものまでもが衝撃に耐え切れず、長い期間使用すると壊れてしまい耐久性のない製品であることを課題とする。【０００５】  上下に可動する磁石の衝撃を受け止める構造物が限界を超えている状態では磁石への反発力、反動力は生じず、このような条件下で図２の発電、充電を成すためには手や腕の振りは大きく、早く、しかも長い時間振らなければ電気は発生、充電されず、人の行う動作としては多大なエネルギーを必要とすることを課題とする。
【課題を解決するための手段】
【０００６】  課題を解決するための請求項１の発明である。
非磁性非電導性材質でできた筒の外側に巻いたコイルと、筒の内側を上下に可動する磁石とによって発電、充電する装置において、上下に可動する磁石の上面・下面の磁極に対し、同一磁極面を相対し互いにしりぞけ合い反発するように磁極を設定した磁石を筒の上部及び下部に固定していることを特徴とする。図３参照。
図１の上下に可動する磁石（１）の衝撃吸収法として筒（７）の上部下部に金属製バネ（３）（６）、ゴムクッション（４）（５）で構成されたものに代わり、図３（１１）（１２）のように上下に可動する磁石（１）の上面・下面の磁極に対し、同一磁極面を相対して、互いにしりぞけ合い反発するように磁極を設定した磁石を筒（７）の上部及び下部に固定している。
【発明の効果】
【０００７】  ０００４の課題への効果
本発明上下に可動する磁石（１）の上面・下面の磁極に対し、同一磁極面を相対して、互いにしりぞけ合い反発するように磁極を設定した磁石を筒（７）の上部（１１）及び下部（１２）に固定していることで図２の発電する動作を行うと、筒の内側を上下に可動する磁石（１）は、筒の上部・下部に近づけば近づくほど、磁石の特性である互いにしりぞけ合う力、反発する力が働き、したがって磁石（１）はいくら上下に強く早く振っても筒（７）の上部・下部にぶつかることがないことで中に収納されている電子部品や基盤等、又、本体そのものを壊すことなく長期間使用への耐久力が優れている。【０００８】  ０００５の課題への効果
本発明の上下に可動する磁石（１）の上面・下面の磁極に対し同一磁極面を相対し、互いにしりぞけ合い、反発するように磁極を設定した磁石を筒の上部（１１）、及び下部（１２）に固定していることで図２の発電動作を行うと筒（７）の中の上下に可動する磁石（１）は筒（７）の上部・下部に近づけば近づくほど磁石の特性である互いにしりぞけ合う力、反発する力、即ち、しなやかで強力な反動力が働き、上下に可動する磁石（１）のコイル（２）通過時のスピードを早める事と、更に、一定時間内の磁石（１）のコイル（２）内通過回数が増える事で発電量は大きく増加します。
【発明を実施するための最良の形態】
【０００９】  図３は本発明を「ライト」として応用、活用した実施例です。
図４は本発明を携帯電話用充電機として応用、活用した実施例です。
本発明は、上下に可動する磁石図３図４（１）の上面・下面の磁極に対し、同一磁極を相対し、互いにしりぞけ合い、反発するように磁極を設定した磁石を筒の上部、及び下部に固定している。図３図４（１１）（１２）
このような構造体を成すことで図２の発電動作を行うと、磁石図３図４（１１）（１２）の反発力が働くことで衝撃を吸収し、中に収納されている電子部品や基盤等、又、本体そのものを破壊より守り、本発明を応用、活用した製品の耐久力を高めます。【００１０】もう一つの効果として、図２の発電動作を行うと磁石図３図４（１）は、上部及び下部に固定している磁石図３図４（１１）（１２）との相関関係により、しなやかで強力な反発力を受ける事でコイル図３図４（２）の通過時のスピードが早くなることと、一定時間内のコイル図３図４（２）を通過する磁石図３図４（１）の回数が増えることで発電量は大きく増加します。【００１１】  図３図４の磁石（１）・コイル（２）・筒（７）・外カバー（１０）の断面を円、楕円、三角、四角、五角、六角としてもよい。
【産業上の利用可能性】
【００１２】  本発明に関わる発電、充電装置は工業的に量産する事が可能であるため、産業上の利用可能性を有する。
【図面の簡単な説明】
【００１３】
【図１】    現在「ライト」として市販されている製品の図面です。
【図２】    発電、充電のための動作。上下に連続して振る。
【図３】    本発明を利用した「ライト」の図面です。
【図４】    本発明を利用した携帯電話充電器の図面です。
【符号の説明】
１    上下に可動する磁石
２    コイル
３    金属製バネ
４    ゴムクッション
５    ゴムクッション
６    金属製バネ
７    非磁性非電導性材質でできた筒
８    ＯＮ／ＯＦＦスイッチ
９    電子部品や基盤等が収納されている所
１０  外カバー
１１  上部に固定した磁石。上下に磁極を有する。
１２  下部に固定した磁石。上下に磁極を有する。
１３  充電用接続端子
１４  カールコード
【図１】
2009055771.tif 000003
【図２】
2009055771.tif 000004
【図３】
2009055771.tif 000005
【図４】
2009055771.tif 000006